(57)【要約】  ＭＢＭＳベアラの品質評価のための機構が提供される。方法が、無線デバイスによって実行される。方法は、ＭＢＭＳベアラに対する品質評価基準を得るために、ＭＢＭＳベアラから分離された受信された参照信号の信号品質の測定結果を決定することであって、参照信号が、少なくとも１つの無線アクセスネットワークノードからのものである、決定することを含む。方法は、測定結果から、またＭＢＭＳベアラのＭＣＨに対して使用されるＭＣＳから、ＭＢＭＳベアラの予想ＢＬＥＲを推定することを含む。【選択図】図２
2019519976.tif 000002
【特許請求の範囲】
【請求項１】
無線デバイス（３００ａ、３００ｂ、３００ｃ）によって実行される、マルチメディアブロードキャストマルチキャストサービス（ＭＢＭＳ）ベアラの品質評価のための方法であって、
前記ＭＢＭＳベアラに対する品質評価基準を得るために、前記ＭＢＭＳベアラから分離された参照信号の信号品質の測定結果を決定すること（Ｓ１０６）であって、前記参照信号が、少なくとも１つの無線アクセスネットワークノード（１１０ａ、１１０ｂ）から受信される、決定することと、
前記測定結果から、また前記ＭＢＭＳベアラのマルチキャストチャネル（ＭＣＨ）に対して使用される変調符号化方式（ＭＣＳ）から、前記ＭＢＭＳベアラの予想ブロック誤り率（ＢＬＥＲ）を推定すること（Ｓ１１０）と
を含む方法。
【請求項２】
前記品質評価基準が、前記ＭＢＭＳベアラに対する参照信号受信品質（ＲＳＲＱ）または信号対干渉雑音比（ＳＩＮＲ）のうちの少なくとも１つである、請求項１に記載の方法。
【請求項３】
前記ＢＬＥＲが、データが前記ＭＢＭＳベアラで送られるかのように推定される、請求項１に記載の方法。
【請求項４】
前記参照信号が、データのないＭＢＭＳベアラで送信される、請求項１に記載の方法。
【請求項５】
前記参照信号が、ＭＢＭＳ単一周波数ネットワーク（ＭＢＳＦＮ）参照信号であり、また前記ＭＢＳＦＮ参照信号が、前記無線デバイスによって、前記ＭＢＭＳベアラの前記ＢＬＥＲがそこから推定されるＭＢＳＦＮ  ＲＳＲＱを決定するために使用される、請求項１に記載の方法。
【請求項６】
前記参照信号が、セル固有参照信号（ＣＳＲＳ）であり、また前記ＣＳＲＳが、前記無線デバイスによって、前記ＭＢＭＳベアラに対する前記品質評価基準を決定するために使用される、請求項１に記載の方法。
【請求項７】
前記無線デバイスが移動する速度を推定すること（Ｓ１０８）であって、前記予想ＢＬＥＲが、前記無線デバイスの移動から生じる前記速度またはドップラー効果からも推定される、推定することをさらに含む、請求項１に記載の方法。
【請求項８】
前記予想ＢＬＥＲを、少なくとも１つの潜在または既存の追加ベアラの品質測定結果と比較すること（Ｓ１１２）をさらに含む、請求項１に記載の方法。
【請求項９】
前記少なくとも１つの追加ベアラのそれぞれが、ユニキャストベアラ、別のＭＢＭＳベアラ、および中継伝送向けベアラである、請求項８に記載の方法。
【請求項１０】
前記別のＭＢＭＳベアラが、ＭＢＭＳ単一周波数ネットワーク（ＭＢＳＦＮ）送信モードまたは単一セルポイントツーマルチポイント（ＳＣ−ＰＴＭ）送信モードを使用する、請求項９に記載の方法。
【請求項１１】
前記予想ＢＬＥＲおよび前記品質測定結果を含む報告を、前記ＭＢＭＳベアラの制御ノード（２００）に送ること（Ｓ１１４）をさらに含む、請求項８から１０のいずれか一項に記載の方法。
【請求項１２】
前記報告が、前記予想ＢＬＥＲが第１の閾値を上回ることを示す、請求項１１に記載の方法。
【請求項１３】
前記報告が、前記少なくとも１つの追加ベアラの予想ＢＬＥＲを示す、請求項８または１０に記載の方法。
【請求項１４】
前記送ることが、前記ＭＢＭＳベアラの前記予想ＢＬＥＲが第２の閾値を上回るときにだけ実行される、請求項１０から１２のいずれか一項に記載の方法。
【請求項１５】
前記少なくとも１つの無線アクセスネットワークノードから、制御ノード（２００）による前記ＭＢＭＳベアラの有効化を示すシステム情報を受信すること（Ｓ１０２）をさらに含む、請求項１に記載の方法。
【請求項１６】
前記少なくとも１つの無線アクセスネットワークノードから、前記ＭＢＭＳベアラに関する制御情報を受信すること（Ｓ１０４）であって、前記制御情報が前記ＭＣＳを含む、受信することをさらに含む、請求項１５に記載の方法。
【請求項１７】
マルチメディアブロードキャストマルチキャストサービス（ＭＢＭＳ）ベアラの品質評価のための無線デバイス（３００ａ、３００ｂ、３００ｃ）であって、処理回路（３１０）を備え、前記処理回路が、前記無線デバイス（３００ａ、３００ｂ、３００ｃ）に、
前記ＭＢＭＳベアラに対する品質評価基準を得るために、前記ＭＢＭＳベアラから分離された参照信号の信号品質の測定結果を決定することであって、前記参照信号が、少なくとも１つの無線アクセスネットワークノード（１１０ａ、１１０ｂ）から受信される、決定することと、
前記測定結果から、また前記ＭＢＭＳベアラのマルチキャストチャネル（ＭＣＨ）に対して使用される変調符号化方式（ＭＣＳ）から、前記ＭＢＭＳベアラの予想ブロック誤り率（ＢＬＥＲ）を推定することと
を行わせるように設定される、無線デバイス（３００ａ、３００ｂ、３００ｃ）。
【請求項１８】
マルチメディアブロードキャストマルチキャストサービス（ＭＢＭＳ）ベアラの品質評価のための無線デバイス（３００ａ、３００ｂ、３００ｃ）であって、
処理回路（３１０）と、
前記処理回路（３１０）によって実行されるとき、前記無線デバイス（３００ａ、３００ｂ、３００ｃ）に、
前記ＭＢＭＳベアラに対する品質評価基準を得るために、前記ＭＢＭＳベアラから分離された参照信号の信号品質の測定結果を決定することであって、前記参照信号が、少なくとも１つの無線アクセスネットワークノード（１１０ａ、１１０ｂ）から受信される、決定することと、
前記測定結果から、また前記ＭＢＭＳベアラのマルチキャストチャネル（ＭＣＨ）に対して使用される変調符号化方式（ＭＣＳ）から、前記ＭＢＭＳベアラの予想ブロック誤り率（ＢＬＥＲ）を推定することとを行わせる命令を格納するコンピュータプログラム製品（４１０）と
を備える、無線デバイス（３００ａ、３００ｂ、３００ｃ）。
【請求項１９】
マルチメディアブロードキャストマルチキャストサービス（ＭＢＭＳ）ベアラの品質評価のための無線デバイス（３００ａ、３００ｂ、３００ｃ）であって、
前記ＭＢＭＳベアラに対する品質評価基準を得るために、前記ＭＢＭＳベアラから分離された参照信号の信号品質の測定結果を決定するように設定された決定モジュール（３１０ｃ）であって、前記参照信号が、少なくとも１つの無線アクセスネットワークノード（１１０ａ、１１０ｂ）から受信される、決定モジュール（３１０ｃ）と、
前記測定結果から、また前記ＭＢＭＳベアラのマルチキャストチャネル（ＭＣＨ）に対して使用される変調符号化方式（ＭＣＳ）から、前記ＭＢＭＳベアラの予想ブロック誤り率（ＢＬＥＲ）を推定するように設定された推定モジュール（３１０ｅ）と
を備える、無線デバイス（３００ａ、３００ｂ、３００ｃ）。
【請求項２０】
マルチメディアブロードキャストマルチキャストサービス（ＭＢＭＳ）ベアラの品質評価のためのコンピュータプログラム（４２０）であって、無線デバイス（３００ａ、３００ｂ、３００ｃ）の処理回路（３１０）上で動作するとき、前記無線デバイス（３００ａ、３００ｂ、３００ｃ）に、
前記ＭＢＭＳベアラに対する品質評価基準を得るために、前記ＭＢＭＳベアラから分離された参照信号の信号品質の測定結果を決定することであって（Ｓ１０６）、前記参照信号が、少なくとも１つの無線アクセスネットワークノード（１１０ａ、１１０ｂ）から受信される、決定することと、
前記測定結果から、また前記ＭＢＭＳベアラのマルチキャストチャネル（ＭＣＨ）に対して使用される変調符号化方式（ＭＣＳ）から、前記ＭＢＭＳベアラの予想ブロック誤り率（ＢＬＥＲ）を推定することと（Ｓ１１０）を行わせるコンピュータコードを備える、コンピュータプログラム（４２０）。
【請求項２１】
請求項２０に記載のコンピュータプログラム（４２０）と、前記コンピュータプログラムが格納されるコンピュータ可読記憶媒体（４３０）とを備える、コンピュータプログラム製品（４１０）。
【発明の詳細な説明】
【技術分野】
【０００１】
本明細書で提示される実施形態は、ＭＢＭＳベアラの品質評価のための方法、無線デバイス、コンピュータプログラム、およびコンピュータプログラム製品に関する。
【背景技術】
【０００２】
通信ネットワークにおいては、所与の通信プロトコル、そのパラメータ、および通信ネットワークが展開される物理的環境に対して良好な性能および能力を得るための課題が存在し得る。
【０００３】
ある通信システムで利用可能な応用例の１つは、グループ通信サービスである。一般論として、グループ通信は、同じ情報またはメディアが複数のクライアントノードに配信されることを意味する。
【０００４】
グループ通信システムでは、同じメディアを受信するクライアントノードは、クライアントノードのグループを構成する。これらのクライアントノードは、異なる場所に配置され得る。多くのクライアントノードが同じ領域内に配置される場合、時間リソースや周波数リソースなどの通信リソースが、クライアントノード間で共有されるので、例えばマルチキャストブロードキャストマルチメディアサービス（ＭＢＭＳ）を使用するマルチキャストベースまたはブロードキャストベースの送信が、クライアントノードのグループへの通信に効率的である。
【０００５】
グループ通信システムの代表的な応用例は、プッシュツートーク（ＰＴＴ）システムである。ＰＴＴシステムでは、クライアントをホストする無線デバイス、ならびにＰＴＴコールをクライアントとの間で受信および分配する制御ノード（またはサーバ）がある。クライアントがアップリンクで（すなわち、クライアントから制御ノードへ）メディアをＰＴＴコールで送信するとき、クライアントは、ユニキャストベアラをクライアントからネットワークへ使用する。制御ノードは、メディアをダウンリンクで（すなわち、制御ノードからクライアントへ）送信するために、ＭＢＭＳベアラまたはユニキャストベアラを使用することができる。
【０００６】
第３世代パートナーシッププロジェクト（３ＧＰＰ）ネットワークでは、各ユニキャストベアラは、例えば変調、符号化、および再送信の機構に関して動的である無線ベアラを利用する。これは、測定されたチャネル品質、誤ったトランスポートブロックなどを報告できる、無線デバイスからのフィードバックメッセージによって達成される。これは、ユニキャストベアラが、動的な無線状態に対応できるほどに極めて柔軟であることを可能にする。
【０００７】
ＰＴＴシステムでＭＢＭＳベアラを使用するとき、ＭＢＭＳベアラの受信品質のフィードバックは通常ないので、制御ノードは、ＭＢＭＳベアラの品質に基づく必要がある。この点に関して、３ＧＰＰでは、受信報告および修復機能性に対応するアプリケーションレイヤ機構が存在するが、この機構は、ＰＴＴシステムなどのグループ通信システムに対して、実際的な限度を超えるレイテンシをもたらすことになる。
【０００８】
ＭＢＭＳベアラ上のメディアの受信は、無線デバイスが待機モードのときですら、実行することができる。無線デバイスが低いＭＢＭＳ受信品質に遭遇すると、無線デバイスクライアントは、接続モードに入り、次いで受信品質メッセージを送ることによって、制御ノードに受信品質について通知する必要があり、それにより、制御ノードは、受信品質メッセージを送る無線デバイスによってホストされている特定のクライアントに対してユニキャストベアラを使用するように送信モードを変更する措置を取ることができる。
【０００９】
ＭＢＭＳは、２つの異なる送信モードで使用することができる。モードのうちの１つは、ＭＢＭＳ単一周波数ネットワーク（ＭＢＳＦＮ）として知られており、ＭＢＳＦＮは、同じ信号が、いくつかの無線セルにおいて、無線アクセスネットワークノードから同じ周波数で同期的に送信されることを意味し、これは、複数の送信が、無線デバイス向けの結合された信号電力に追加されるので、信号干渉雑音比（ＳＩＮＲ）の改善をもたらす。
【００１０】
２つ目の送信モードは、単一セルポイントツーマルチポイント（ＳＣ−ＰＴＭ）として知られている。ＳＣ−ＰＴＭは、３ＧＰＰ  Ｅ−ＵＴＲＡＮ  Ｒｅｌ−１３で導入された。この送信モードでは、１つの無線アクセスネットワークノードだけが、データを送信する。この送信モードは、ＭＢＳＦＮにおけるのと同様には、隣接する無線アクセスネットワークノードの貢献に起因するＳＩＮＲの改良の利益を提供しない。
【００１１】
しかし、ＳＣ−ＰＴＭは、無線デバイスが配置されたセルでだけ使用されることになるので、より細かい地理的粒度で使用することができる。
【００１２】
ＭＢＭＳベアラを使用するとき、クライアントは、メディア送信時のＰＴＴコール中とメディアが送信されないときの両方で、ＭＢＭＳベアラの品質を評価する必要がある。ＭＢＭＳベアラの品質を測定するための既知の機構は、ＭＢＳＦＮ参照信号受信品質（ＲＳＲＱ）の測定に限定され、ＭＢＳＦＮ  ＲＳＲＱは、３ＧＰＰ  ＴＳ３６．２１４  Ｖ１３．１．０に規定されている。メディアがＭＢＭＳベアラ上でブロードキャストされるとき、受信品質は、トランスポートブロック誤り率（ＢＬＥＲ）を分析することによって評価することができる。
【００１３】
ＰＴＴシステムでのトラフィックパターンは、短い間隔での、メディアの少数の短い送信バーストを一般に含む。これらの送信バーストは、一般に、直後に長い期間の無音が続く（すなわち、そこではメディアは送信されない）。ＰＴＴメディア送信の割合は予測不可能なので、ＭＢＭＳベアラ受信品質を評価することは難しい。メディアがブロードキャストされないとき、予想品質を評価することは難しい。
【００１４】
したがって、ＭＢＭＳベアラの品質を評価するための改良された機構が依然として必要である。
【発明の概要】
【００１５】
本明細書の実施形態の目的は、ＭＢＭＳベアラの効率的な品質評価を提供することである。
【００１６】
第１の態様によれば、ＭＢＭＳベアラの品質評価のための方法が提示される。方法は、無線デバイスによって実行される。方法は、ＭＢＭＳベアラに対する品質評価基準（ｑｕａｌｉｔｙ  ｍｅａｓｕｒｅ）を得るために、ＭＢＭＳベアラから分離された参照信号の信号品質の測定結果を決定することであって、参照信号が、少なくとも１つの無線アクセスネットワークノードから受信される、決定することを含む。方法は、測定結果から、またＭＢＭＳベアラのマルチキャストチャネル（ＭＣＨ）に対して使用される変調符号化方式（ＭＣＳ）から、ＭＢＭＳベアラの予想ＢＬＥＲを推定することを含む。
【００１７】
有利なことに、これは、ＭＢＭＳベアラの効率的な品質評価を提供する。
【００１８】
有利なことに、これは、データがＭＢＭＳベアラで送られないときですら、ＭＢＭＳベアラでの予想ＢＬＥＲの効率的な評価を提供する。さらに、予想ＢＬＥＲは、報告および／またはモビリティ決定の目的で、別の送信オプションと比較することができる。
【００１９】
第２の態様によれば、ＭＢＭＳベアラの品質評価のための無線デバイスが提供される。無線デバイスは、処理回路を備える。処理回路は、無線デバイスに、ＭＢＭＳベアラに対する品質評価基準を得るために、ＭＢＭＳベアラから分離された参照信号の信号品質の測定結果を決定させるように設定され、参照信号が、少なくとも１つの無線アクセスネットワークノードから受信される。処理回路は、無線デバイスに、測定結果から、またＭＢＭＳベアラのＭＣＨに対して使用されるＭＣＳから、ＭＢＭＳベアラの予想ＢＬＥＲを推定させるように設定される。
【００２０】
第３の態様によれば、ＭＢＭＳベアラの品質評価のための無線デバイスが提供される。無線デバイスは、処理回路およびコンピュータプログラム製品を備える。コンピュータプログラム製品は、処理回路によって実行されるとき、無線デバイスに、ステップ、すなわち動作を実行させる命令を格納する。ステップすなわち動作は、無線デバイスに、ＭＢＭＳベアラに対する品質評価基準を得るために、ＭＢＭＳベアラから分離された参照信号の信号品質の測定結果を決定させ、参照信号が、少なくとも１つの無線アクセスネットワークノードから受信される。ステップすなわち動作は、無線デバイスに、測定結果から、またＭＢＭＳベアラのＭＣＨに対して使用されるＭＣＳから、ＭＢＭＳベアラの予想ＢＬＥＲを推定させる。
【００２１】
第４の態様によれば、ＭＢＭＳベアラの品質評価のための無線デバイスが提供される。無線デバイスは、ＭＢＭＳベアラに対する品質評価基準を得るために、ＭＢＭＳベアラから分離された参照信号の信号品質の測定結果を決定するように設定された決定モジュールを備え、参照信号が、少なくとも１つの無線アクセスネットワークノードから受信される。無線デバイスは、測定結果から、またＭＢＭＳベアラのＭＣＨに対して使用されるＭＣＳから、ＭＢＭＳベアラの予想ＢＬＥＲを推定するように設定された推定モジュールを備える。
【００２２】
第５の態様によれば、ＭＢＭＳベアラの品質評価のためのコンピュータプログラムが提供され、コンピュータプログラムは、無線デバイス上で動作するとき、無線デバイスに、第１の態様による方法を実行させるコンピュータプログラムコードを備える。
【００２３】
第６の態様によれば、第５の態様によるコンピュータプログラムおよびコンピュータプログラムが格納されるコンピュータ可読記憶媒体を備える、コンピュータプログラム製品が提供される。
【００２４】
第１、第２、第３、第４、第５、および第６の態様の任意の特徴は、適切な場合はいつも、任意の他の態様に適用され得ることに留意されたい。
【００２５】
同様に、第１の態様の任意の利点は、第２、第３、第４、第５、および／または第６の態様に、それぞれ同様に適用されることがあり、また逆も同様である。付属の実施形態の他の目的、特徴、および利点は、以下の詳細な開示から、添付の従属請求項から、ならびに図面から明らかとなる。
【００２６】
一般に、特許請求の範囲で使用されるすべての用語は、本明細書で明示的に別段の規定がない限り、技術分野における用語の通常の意味によって解釈されるべきである。「要素、装置、コンポーネント、手段、ステップなど」へのすべての言及は、明示的に別段の記載がない限り、要素、装置、コンポーネント、手段、ステップなどの少なくとも１つの例への言及として非限定的に解釈されるべきである。本明細書で開示される任意の方法のステップは、明示的に記載がない限り、開示されたとおりの順序で実行される必要はない。
次に、本発明の概念を、例を使用して、以下の添付の図面を参照しながら説明する。
【図面の簡単な説明】
【００２７】
【図１】実施形態による通信ネットワークを示す概略図である。
【図２】実施形態による方法の流れ図である。
【図３】実施形態による方法の流れ図である。
【図４】実施形態による信号図である。
【図５】一実施形態による無線デバイスの機能ユニットを示す概略図である。
【図６】一実施形態による一無線デバイス名の機能モジュールを示す概略図である。
【図７】一実施形態による、コンピュータ可読記憶媒体を備えるコンピュータプログラム製品の一例を示す図である。
【発明を実施するための形態】
【００２８】
次に、本発明の概念について、本発明の概念のいくつかの実施形態を示す添付の図面を参照して、以下でより詳細に説明する。ただし、この発明の概念は、多くの異なる形態で実施でき、本明細書に記載の実施形態だけに限定されるものと解釈されるべきではない。むしろ、これらの実施形態は、本開示が詳細かつ完全なものとなり、本発明の概念の範囲を当業者に十分に伝えるものとなるように例を使用して提供される。同様の番号は、本説明を通じて同様の要素を指す。破線によって示されるいずれのステップまたは特徴も、任意選択としてみなされたい。
【００２９】
図１は、本明細書で提示される実施形態を適用できる通信システム１００を示す概略図である。通信システム１００は、グループ通信向けのサービスを提供すると考えられ、したがってグループ通信システムとみなすことができる。グループ通信システム１００は、一部の態様によれば、プッシュツートーク（ＰＴＴ）システムである。
【００３０】
通信システム１００は、無線アクセスネットワーク１２０、コアネットワーク１３０、およびサービスネットワーク１４０を備える。通信システム１００はさらに、少なくとも１つの制御ノード２００および少なくとも１つのクライアントノード１５０ａ、１５０ｂ、１５０ｃを備える。少なくとも１つの制御ノード２００は、無線アクセスネットワーク１２０における少なくとも１つの無線アクセスネットワーク（ＲＡＮ）ノード１１０ａ、１１０ｂにまたは別のエンティティもしくはデバイスに、コアネットワーク１３０のエンティティもしくはデバイスに、またはサービスネットワーク１４０のエンティティもしくはデバイスに提供する、あるいは設置することができる。少なくとも１つの制御ノード２００は、グループ通信アプリケーションサーバ（ＧＣＳ  ＡＳ）の機能性を実装し得る。各クライアントノード１５０ａ、１５０ｂ、１５０ｃは、それぞれの無線デバイス３００ａ、３００ｂ、３００ｃに提供する、または設置することができる。
【００３１】
無線アクセスネットワーク１２０は、サービスネットワーク１４０に動作可能に接続されているコアネットワーク１３０に動作可能に接続されている。少なくとも１つの無線アクセスネットワークノード１１０ａ、１１０ｂは、それによって無線デバイス３００ａ、３００ｂ、３００ｃ、ひいてはクライアントノード１５０ａ、１５０ｂ、１５０ｃが、サービスにアクセスし、サービスネットワーク１４０によって提供されるデータを交換することを可能にする。
【００３２】
無線デバイス３００ａ、３００ｂ、３００ｃの例には、移動局、移動電話、ハンドセット、無線ローカルループ電話、ユーザ機器（ＵＥ）、スマートフォン、ラップトップコンピュータ、およびタブレットコンピュータが含まれるが、これらに限定されるものではない。無線アクセスネットワークノード１１０ａ、１１０ｂの例には、無線基地局、無線基地局装置、ノードＢ、エボルブドノードＢ、およびアクセスポイントが含まれるが、これらに限定されるものではない。当業者なら理解するように、通信システム１００は、それぞれが複数の無線デバイス３００ａ、３００ｂ、３００ｃにネットワークアクセスを提供する、複数の無線アクセスネットワークノード１１０ａ、１１０ｂを含んでもよい。本明細書で開示される実施形態は、任意の特定の数の無線アクセスネットワークノード１１０ａ、１１０ｂ、クライアントノード１５０ａ、１５０ｂ、１５０ｃ、または無線デバイス３００ａ、３００ｂ、３００ｃに限定されるものではない。
【００３３】
前述したように、ＭＢＭＳベアラの品質を評価するための改良された機構が依然として必要である。
【００３４】
本明細書で開示される実施形態は、ＭＢＭＳベアラの品質評価のための機構に関する。そうした機構を得るために、無線デバイス３００ａ、３００ｂ、３００ｃ、無線デバイス３００ａ、３００ｂ、３００ｃによって実行される方法、無線デバイス３００ａ、３００ｂ、３００ｃ上で動作するとき、無線デバイス３００ａ、３００ｂ、３００ｃに方法を実行させるコードを例えばコンピュータプログラムの形で備えるコンピュータプログラム製品が提供される。
【００３５】
図２および図３は、ＭＢＭＳベアラの品質評価のための方法の実施形態を示す流れ図である。方法は、無線デバイス３００ａ、３００ｂ、３００ｃによって実行される。方法は、有利には、コンピュータプログラム４２０として提供される。
【００３６】
次に、一実施形態による、無線デバイス３００ａ、３００ｂ、３００ｃによって実行される、ＭＢＭＳベアラの品質評価のための方法を示す図２を参照する。また、図４の信号図を並行して参照する。
【００３７】
本明細書で開示される実施形態は、データがＭＢＭＳベアラで送られるかのように予想ＢＬＥＲを評価するために、ＭＢＭＳベアラに対する品質評価基準およびＭＢＭＳベアラに対して使用される変調符号化方式（ＭＣＳ）を使用することに基づく。
【００３８】
Ｓ１０６：無線デバイス３００ａ、３００ｂ、３００ｃは、ＭＢＭＳベアラに対する品質評価基準を得るために、ＭＢＭＳベアラから分離された参照信号の信号品質の測定結果を決定する。参照信号は、少なくとも１つの無線アクセスネットワークノード１１０ａ、１１０ｂから受信される。品質評価基準の例が、以下に提供される。
【００３９】
Ｓ１１０：無線デバイス３００ａ、３００ｂ、３００ｃは、測定結果から、またＭＢＭＳベアラのマルチキャストチャネル（ＭＣＨ）に対して使用されるＭＣＳから、ＭＢＭＳベアラの予想ブロック誤り率（ＢＬＥＲ）を推定する。
【００４０】
所与の送信のＢＬＥＲは、本明細書で、当該所与の送信において、誤った受信ブロックの数を受信ブロックの総数で割ったものとして規定される。
【００４１】
ＢＬＥＲは、データがＭＢＭＳベアラで送られるかのように推定することができる。高い品質評価基準を測定し、ＭＢＭＳベアラを強固なＭＣＳでリッスンする無線デバイス３００ａ、３００ｂ、３００ｃは、データがＭＢＭＳベアラで送られるときの低いＢＬＥＲを予想できる。ＭＣＳは、１つのＭＢＳＦＮにおける１つのＭＢＭＳベアラに対して静的であり、これは、一定のＭＣＳに基づいて、無線デバイス３００ａ、３００ｂ、３００ｃは、ＢＬＥＲが高くなりすぎる前に、一定の最低水準の品質評価基準を許容できるとともに、無線デバイス３００ａ、３００ｂ、３００ｃは、適切な措置を取らなければならないことを意味する。そうした適切な措置の例が、以下に提供される。
【００４２】
次に、無線デバイス３００ａ、３００ｂ、３００ｃによって実行されるＭＢＭＳベアラの品質評価のより詳細に関する実施形態を開示する。
【００４３】
品質評価基準の様々な例があり得る。一実施形態によれば、品質評価基準は、ＭＢＭＳベアラに対するＲＳＲＱである。ＲＳＲＱは、参照信号受信電力（ＲＳＲＰ）と参照信号強度インジケータ（ＲＳＳＩ）の比率として規定される。ＲＳＳＩは、熱雑音および無線デバイス３００ａ、３００ｂ、３００ｃの受信機において発生する雑音を含む、受信広帯域電力を含む。一実施形態によれば、品質評価基準は、ＭＢＭＳベアラに対する信号対干渉雑音比（ＳＩＮＲ）である。一実施形態によれば、品質評価基準は、ＲＳＲＱとＳＩＮＲの組合せである。
【００４４】
参照が送信されるときにデータがＭＢＭＳベアラでブロードキャストされるか否かにかかわらず、参照信号は、ＭＢＭＳベアラで送信することができる。したがって、一実施形態によれば、参照信号は、データのないＭＢＭＳベアラで送信される。
【００４５】
次に、別の実施形態による、無線デバイス３００ａ、３００ｂ、３００ｃによって実行される、ＭＢＭＳベアラの品質評価のための方法を示す図３を参照する。ステップＳ１０６およびＳ１１０は、上述のとおり実行されると考えられるため、したがってその説明の繰り返しは省略する。図４の信号図を引き続き並行して参照する。
【００４６】
ステップＳ１０６での測定結果の決定に先行する、様々なステップ、すなわち動作があり得る。一部の態様によれば、ＭＢＭＳベアラが有効化される。したがって、一実施形態によれば、無線デバイス３００ａ、３００ｂ、３００ｃは、ステップＳ１０６を実行する前にステップＳ１０２を実行するように設定される。
【００４７】
Ｓ１０２：無線デバイス３００ａ、３００ｂ、３００ｃは、少なくとも１つの無線アクセスネットワークノード１１０ａから、システム情報を受信する。システム情報は、ＭＢＭＳベアラが有効であることを示す。
【００４８】
一部の態様によれば、各無線アクセスネットワークノード１１０ａ、１１０ｂは、ＭＢＭＳベアラに関するシステム情報および制御情報をブロードキャストする。したがって、一実施形態によれば、無線デバイス３００ａ、３００ｂ、３００ｃは、ステップＳ１０４を、ステップＳ１０２の後、かつステップＳ１０６を実行する前に実行するように設定される。
【００４９】
Ｓ１０４：無線デバイス３００ａ、３００ｂ、３００ｃは、少なくとも１つの無線アクセスネットワークノード１１０ａ、１１０ｂから、ＭＢＭＳベアラに関する制御情報を受信する。制御情報は、ＭＣＳを含む。
【００５０】
先に開示したように、ステップＳ１０６では、無線デバイス３００ａ、３００ｂ、３００ｃは、ＭＢＭＳベアラに対する品質評価基準を得るために、少なくとも１つの無線アクセスネットワークノード１１０ａ、１１０ｂから受信される参照信号の信号品質の測定結果を決定する。この点に関して、無線デバイス３００ａ、３００ｂ、３００ｃは、ＭＢＳＦＮ参照信号を測定してＭＢＳＦＮ  ＲＳＲＱを決定することができる。したがって、一実施形態によれば、参照信号は、ＭＢＳＦＮ参照信号であり、またＭＢＳＦＮ参照信号は、無線デバイス３００ａ、３００ｂ、３００ｃによって、ＭＢＭＳベアラのＢＬＥＲがそこから推定されるＭＢＳＦＮ  ＲＳＲＱを決定するために使用される。ＭＢＳＦＮ参照信号は、無線デバイス３００ａ、３００ｂ、３００ｃによって、ＭＢＳＦＮ参照信号受信電力（ＲＳＲＰ）およびＭＢＳＦＮ  ＲＳＲＱを決定するために使用することができる。ＭＢＳＦＮ  ＲＳＲＱは、３ＧＰＰ  ＴＳ３６．２１４  Ｖ１３．１．０に規定されている。ＭＢＳＦＮ参照信号は、いくつかのセルから（例えば、いくつかの無線アクセスネットワークノード１１０ａ、１１０ｂから）同期がとられることがあるので、ＭＢＳＦＮ参照信号は、常に、少なくともセル固有参照信号（ＣＳＲＳ）と同様に強力であり、また通常、ＭＢＳＦＮ参照信号の複数のソースを組み合わせるとより強力である。セル固有参照信号は、３ＧＰＰ  ＴＳ３６．２１１  Ｖ１３．１．０に規定されている。１つのＭＢＳＦＮにおける１つのＭＢＭＳベアラの場合、ＭＣＳは静的であるため、したがって無線デバイス３００ａ、３００ｂ、３００ｃは、ＭＢＳＦＮ  ＲＳＲＱを決定するためにＭＢＳＦＮ参照信号を測定し、ひいてはＭＢＭＳベアラに対する品質評価基準を得ることができる。
【００５１】
ＭＢＭＳベアラがＳＣ−ＰＴＭ送信モードを使用する場合、無線デバイス３００ａ、３００ｂ、３００ｃは、ＭＢＭＳベアラに対する同等のＲＳＲＱを決定するために、ＣＳＲＳを使用してもよい。しかし、この参照信号がユニキャスト送信に対して使用されるものと同じ場合でも、ＳＣ−ＰＴＭ送信モードには、例えば、リンク適応およびハイブリッド自動再送要求（ＨＡＲＱ）による再送信がないので、同じチャネル品質を示すわけではない。したがって、一実施形態によれば、参照信号は、ＣＳＲＳであり、またＣＳＲＳは、無線デバイス３００ａ、３００ｂ、３００ｃによって、ＭＢＭＳベアラに対する品質評価基準を決定するために使用される。ＣＳＲＳは、無線デバイス３００ａ、３００ｂ、３００ｃによって使用することでＲＳＲＰを決定でき、そしてＲＳＳＩと組み合わせるとＲＳＲＱを決定できる。
【００５２】
一部の態様によれば、予想ＢＬＥＲは、無線デバイス３００ａ、３００ｂ、３００ｃが移動する速度からも推定される。したがって、一実施形態によれば、無線デバイス３００ａ、３００ｂ、３００ｃは、ステップＳ１０８を実行するように設定される。
【００５３】
Ｓ１０８：無線デバイス３００ａ、３００ｂ、３００ｃは、無線デバイス３００ａ、３００ｂ、３００ｃが移動する速度を推定する。予想ＢＬＥＲは、次いでステップＳ１１０で、無線デバイス３００ａ、３００ｂ、３００ｃの移動から生じる速度および／またはドップラー効果からも推定される。
【００５４】
無線デバイス３００ａ、３００ｂ、３００ｃの移動は、ドップラー効果を生じさせる。当業者なら理解するように、ドップラー効果は、品質評価基準が推定される基礎であるベアラの搬送周波数、無線デバイス３００ａ、３００ｂ、３００ｃが移動する速度、および信号ソース（すなわち、少なくとも１つの無線アクセスネットワークノード１１０ａ、１１０ｂ）に対する無線デバイス３００ａ、３００ｂ、３００ｃの移動方向を使用して決定することができる。最悪のケースのシナリオが発生するのは、無線デバイス３００ａ、３００ｂ、３００ｃが最も強力な１つまたは複数の信号ソースに対して半径方向に移動するときである。信号ソースに対する方向が計算できない場合、無線デバイス３００ａ、３００ｂ、３００ｃは、保守的になり、一実施形態において、前記半径方向を想定する可能性がある。速度は、例えば、全地球測位システムからの測定結果を使用して、決定することができる。一般論として、相対的な高いドップラー効果は、相対的な低いドップラー効果と比較して、同じＭＣＳレベルで同じＢＬＥＲ目標に達するために、より高い品質評価基準を必要とする。
【００５５】
予想ＢＬＥＲは、例えば報告および／またはモビリティ決定の目的で、ＭＢＭＳベアラで送信されるデータに対する別の送信オプションと比較することができる。したがって、一実施形態によれば、無線デバイス３００ａ、３００ｂ、３００ｃは、ステップＳ１１２を実行するように設定される。
【００５６】
Ｓ１１２：無線デバイス３００ａ、３００ｂ、３００ｃは、予想ＢＬＥＲを、少なくとも１つの追加ベアラの品質測定結果と比較する。
【００５７】
したがって、無線デバイス３００ａ、３００ｂ、３００ｃは、そうした比較を実行するために、少なくとも１つの潜在または既存の追加ベアラの品質測定結果を得ると考えることができる。そうした１つまたは複数の追加ベアラの様々な例がある。例えば、１つまたは複数の追加ベアラは、選択されたターゲットセル／領域または隣接のターゲットセル／領域において、予想ＢＬＥＲが推定される対象のＭＢＭＳベアラによって現在提供されているサービスに対して有効であり得る。一実施形態によれば、少なくとも１つの追加ベアラのそれぞれは、ユニキャストベアラ、別のＭＢＭＳベアラ、または中継伝送向けベアラである。このいわゆる別のＭＢＭＳベアラは、ＳＣ−ＰＴＭまたはＭＢＳＦＮ送信モードを使用しているものであり得る。中継伝送向けベアラの一例は、ＵＥ−ｔｏ−Ｎｅｔｗｏｒｋ中継伝送向けベアラである。この点に関して、一部の態様によれば、様々なベアラタイプの比較は、ステップＳ１１２で実行され得るように、ペイロードレベルで実行することができる。ペイロードの品質は、ＭＢＭＳベアラで、アプリケーションレベルの前方誤り訂正（ＦＥＣ）の助けを借りて改善することができる。ペイロードの品質は、ユニキャストベアラで、ＨＡＲＱの助けを借りて改善することができる。一実施形態では、ＢＬＥＲをペイロードレベル損失率にマッピングするために使用される既知のターゲットＨＡＲＱレベルがある。例として、ペイロードの１つのタイプは、メディアフレームである。メディアフレームが一定のビットレートを使用して送信され、またメディアフレームのフレームサイズが既知である場合、ＢＬＥＲとペイロードの品質との間のマッピングが可能である。また、ＵＥ−ｔｏ−Ｎｅｔｗｏｒｋ中継伝送の場合、損失ブロック訂正の可能性を考慮することができる。
【００５８】
一部の態様によれば、無線デバイス３００ａ、３００ｂ、３００ｃは、ＭＢＭＳベアラ測定の結果、ターゲット測定の結果（すなわち、少なくとも１つの追加ベアラの品質測定の結果）、および／または比較の結果を制御ノード２００に報告する。したがって、一実施形態によれば、無線デバイス３００ａ、３００ｂ、３００ｃは、ステップＳ１１４を実行するように設定される。
【００５９】
Ｓ１１４：無線デバイス３００ａ、３００ｂ、３００ｃは、予想ＢＬＥＲおよび品質測定結果を含む報告を、ＭＢＭＳベアラの制御ノード２００に送る。
【００６０】
ＭＢＭＳベアラは低品質であるが、発見されたターゲットオプションのいずれもさらに低品質である場合、このことは報告で示すことができる。したがって、一実施形態によれば、報告は、予想ＢＬＥＲが第１の閾値を上回ることを示す。さらに、一実施形態によれば、報告は、少なくとも１つの追加ベアラの予想ＢＬＥＲを示す。
【００６１】
予想ＢＬＥＲが規定済みの閾値を下回る場合、ステップＳ１１２およびＳ１１４は、省略してよい。したがって、一実施形態によれば、ステップＳ１１２での比較することおよびステップＳ１１４での送ることは、ＭＢＭＳベアラの予想ＢＬＥＲが第２の閾値を上回るときにだけ実行される。
【００６２】
無線デバイス３００ａ、３００ｂ、３００ｃは、品質評価基準の値、ＭＣＳ、およびＢＬＥＲ間の関係を含むデータ構造を格納することができる。関係、したがってまたデータ構造は、さらに、無線デバイス３００ａ、３００ｂ、３００ｃの速度または結果として生じるドップラー効果の値を含むことができる。したがって、テーブルルックアップによって、すなわち、ＭＢＭＳベアラに対する品質評価基準および現在使用されているＭＣＳ（そして任意選択で無線デバイス３００ａ、３００ｂ、３００ｃの推定速度）を入力として使用し、予想ＢＬＥＲを出力として生成することによって、予想ＢＬＥＲを推定することができる。
【００６３】
図５は、いくつかの機能ユニットの点から、一実施形態による、無線デバイス３００ａ、３００ｂ、３００ｃのコンポーネントを概略的に示す。処理回路３１０は、（図７に見られるような）コンピュータプログラム製品４１０に、例えば、記憶媒体３３０の形で格納されたソフトウェア命令を実行できる、適当な中央処理装置（ＣＰＵ）、マルチプロセッサ、マイクロコントローラ、デジタル信号プロセッサ（ＤＳＰ）などのうちの１つまたは複数の任意の組合せを使用して提供される。処理回路３１０はさらに、少なくとも１つの特定用途向け集積回路（ＡＳＩＣ）またはフィールドプログラマブルゲートアレイ（ＦＰＧＡ）として提供されてもよい。
【００６４】
特に、処理回路３１０は、先に開示したように、無線デバイス３００ａ、３００ｂ、３００ｃに、動作、すなわちステップのセット、Ｓ１０２〜Ｓ１１４を実行させるように設定される。例えば、記憶媒体３３０は、動作のセットを格納してもよく、処理回路３１０は、記憶媒体３３０から動作のセットを検索して、無線デバイス３００ａ、３００ｂ、３００ｃに、動作のセットを実行させるように設定してもよい。動作のセットは、実行可能命令のセットとして提供されてもよい。
【００６５】
こうして処理回路３１０は、それによって、本明細書で開示される方法を実行するように設定される。記憶媒体３３０はまた、例えば、磁気メモリ、光メモリ、ソリッドステートメモリ、もしくはさらにはリモートでマウントされたメモリの任意のただ１つまたは組合せとすることができる永続記憶装置を備えてもよい。無線デバイス３００ａ、３００ｂ、３００ｃはさらに、少なくとも無線アクセスネットワークノード１１０ａ、１１０ｂおよび制御ノード２００との通信のために少なくとも設定される通信インターフェース３２０を備えてもよい。したがって、そうした通信インターフェース３２０は、アナログおよびデジタルコンポーネントを備える、１つまたは複数の送信機および受信機を備えることができる。処理回路３１０は、無線デバイス３００ａ、３００ｂ、３００ｃの一般的な動作を、例えば、データおよび制御信号を通信インターフェース３２０および記憶媒体３３０に送ることにより、データおよび報告を通信インターフェース３２０から受信することにより、またデータおよび命令を記憶媒体３３０から検索することにより、制御する。本明細書で提示される概念を不明瞭にしないよう、無線デバイス３００ａ、３００ｂ、３００ｃの他のコンポーネントならびに関連する機能性は省略している。
【００６６】
図６は、いくつかの機能モジュールの点から、一実施形態による、無線デバイス３００ａ、３００ｂ、３００ｃのコンポーネントを概略的に示す。図６の無線デバイス３００ａ、３００ｂ、３００ｃは、いくつかの機能モジュール、すなわち、ステップＳ１０６を実行するように設定された決定モジュール３１０ｃおよびステップＳ１１０を実行するように設定された推定モジュール３１０ｅを備える。図６の無線デバイス３００ａ、３００ｂ、３００ｃはさらに、ステップＳ１０２を実行するように設定された受信モジュール３１０ａ、ステップＳ１０４を実行するように設定された受信モジュール３１０ｂ、ステップＳ１０８を実行するように設定された推定モジュール３１０ｄ、ステップＳ１１２を実行するように設定された比較モジュール３１０ｆ、およびステップＳ１１４を実行するように設定された発信モジュール３１０ｇのいずれかなどのいくつかの任意選択の機能モジュールを備えてもよい。
【００６７】
一般論として、各機能モジュール３１０ａ〜３１０ｇは、一実施形態においてハードウェアにだけ実装できるか、別の実施形態においてソフトウェアの助けを借りて実装でき、すなわち、後者の実施形態は、処理回路上で動作するとき、無線デバイス３００ａ、３００ｂ、３００ｃに、図６と共に前述された対応するステップを実行させる、記憶媒体３３０に格納されたコンピュータプログラム命令を有する。モジュールが１つのコンピュータプログラムの部分に対応するとしても、モジュールはコンピュータプログラム内で別個のモジュールである必要はないが、モジュールがソフトウェアに実装される方法は使用されるプログラミング言語に依存することもまた言及されるべきである。好ましくは、１つまたは複数のまたはすべての機能モジュール３１０ａ〜３１０ｇは、処理回路３１０によって、また場合によっては、機能ユニットの３２０および／または３３０と協力して、実装することができる。処理回路３１０は、したがって、機能モジュール３１０ａ〜３１０ｇによって提供される命令を記憶媒体３３０から取り込むよう、またこれらの命令を実行するよう設定することができ、それによって、本明細書で開示される任意のステップを実行する。
【００６８】
図７は、コンピュータ可読記憶媒体４３０を備えるコンピュータプログラム製品４１０の一例を示す。このコンピュータ可読記憶媒体４３０に、コンピュータプログラム４２０を格納でき、コンピュータプログラム４２０は、処理回路３１０、ならびにそこに動作可能に結合された、通信インターフェース３２０や記憶媒体３３０などのエンティティおよびデバイスに、本明細書で説明する実施形態による方法を実行させることができる。コンピュータプログラム４２０および／またはコンピュータプログラム製品４１０は、したがって、本明細書で開示される任意のステップを実行するための手段を提供することができる。
【００６９】
図７の例では、コンピュータプログラム製品４１０は、ＣＤ（コンパクトディスク）またはＤＶＤ（デジタル多用途ディスク）またはＢｌｕ−Ｒａｙディスクなどの光ディスクとして示される。コンピュータプログラム製品４１０はまた、ランダムアクセスメモリ（ＲＡＭ）、読出し専用メモリ（ＲＯＭ）、消去可能プログラマブル読出し専用メモリ（ＥＰＲＯＭ）、または電気的消去可能プログラマブル読出し専用メモリ（ＥＥＰＲＯＭ）などのメモリとして、より詳細には、ＵＳＢ（ユニバーサルシリアルバス）メモリなどの外部メモリまたはコンパクトフラッシュメモリなどのフラッシュメモリにおけるデバイスの不揮発性記憶媒体として組み込まれる。したがって、コンピュータプログラム４２０は、ここでは、概略的に、示された光ディスク上のトラックとして示されるが、コンピュータプログラム４２０は、コンピュータプログラム製品４１０に適した任意の方法で格納することができる。
【００７０】
本発明の概念は、主に、少数の実施形態を参照しながら上述された。しかし、当業者によって容易に理解されるように、上に開示された実施形態以外の他の実施形態は、添付の特許請求の範囲によって規定される本発明の概念の範囲内で同様に可能である。
【図１】
2019519976.tif 000003
【図２】
2019519976.tif 000004
【図３】
2019519976.tif 000005
【図４】
2019519976.tif 000006
【図５】
2019519976.tif 000007
【図６】
2019519976.tif 000008
【図７】
2019519976.tif 000009
【手続補正書】
【提出日】平成29年11月30日(2017.11.30)
【手続補正１】
【補正対象書類名】明細書
【補正対象項目名】全文
【補正方法】変更
【補正の内容】
【発明の詳細な説明】
【技術分野】
【０００１】
本明細書で提示される実施形態は、ＭＢＭＳベアラの品質評価のための方法、無線デバイス、コンピュータプログラム、およびコンピュータプログラム製品に関する。
【背景技術】
【０００２】
通信ネットワークにおいては、所与の通信プロトコル、そのパラメータ、および通信ネットワークが展開される物理的環境に対して良好な性能および能力を得るための課題が存在し得る。
【０００３】
ある通信システムで利用可能な応用例の１つは、グループ通信サービスである。一般論として、グループ通信は、同じ情報またはメディアが複数のクライアントノードに配信されることを意味する。
【０００４】
グループ通信システムでは、同じメディアを受信するクライアントノードは、クライアントノードのグループを構成する。これらのクライアントノードは、異なる場所に配置され得る。多くのクライアントノードが同じ領域内に配置される場合、時間リソースや周波数リソースなどの通信リソースが、クライアントノード間で共有されるので、例えばマルチキャストブロードキャストマルチメディアサービス（ＭＢＭＳ）を使用するマルチキャストベースまたはブロードキャストベースの送信が、クライアントノードのグループへの通信に効率的である。
【０００５】
グループ通信システムの代表的な応用例は、プッシュツートーク（ＰＴＴ）システムである。ＰＴＴシステムでは、クライアントをホストする無線デバイス、ならびにＰＴＴコールをクライアントとの間で受信および分配する制御ノード（またはサーバ）がある。クライアントがアップリンクで（すなわち、クライアントから制御ノードへ）メディアをＰＴＴコールで送信するとき、クライアントは、ユニキャストベアラをクライアントからネットワークへ使用する。制御ノードは、メディアをダウンリンクで（すなわち、制御ノードからクライアントへ）送信するために、ＭＢＭＳベアラまたはユニキャストベアラを使用することができる。
【０００６】
第３世代パートナーシッププロジェクト（３ＧＰＰ）ネットワークでは、各ユニキャストベアラは、例えば変調、符号化、および再送信の機構に関して動的である無線ベアラを利用する。これは、測定されたチャネル品質、誤ったトランスポートブロックなどを報告できる、無線デバイスからのフィードバックメッセージによって達成される。これは、ユニキャストベアラが、動的な無線状態に対応できるほどに極めて柔軟であることを可能にする。
【０００７】
ＰＴＴシステムでＭＢＭＳベアラを使用するとき、ＭＢＭＳベアラの受信品質のフィードバックは通常ないので、制御ノードは、ＭＢＭＳベアラの品質に基づく必要がある。この点に関して、３ＧＰＰでは、受信報告および修復機能性に対応するアプリケーションレイヤ機構が存在するが、この機構は、ＰＴＴシステムなどのグループ通信システムに対して、実際的な限度を超えるレイテンシをもたらすことになる。
【０００８】
ＭＢＭＳベアラ上のメディアの受信は、無線デバイスが待機モードのときですら、実行することができる。無線デバイスが低いＭＢＭＳ受信品質に遭遇すると、無線デバイスクライアントは、接続モードに入り、次いで受信品質メッセージを送ることによって、制御ノードに受信品質について通知する必要があり、それにより、制御ノードは、受信品質メッセージを送る無線デバイスによってホストされている特定のクライアントに対してユニキャストベアラを使用するように送信モードを変更する措置を取ることができる。
【０００９】
ＭＢＭＳは、２つの異なる送信モードで使用することができる。モードのうちの１つは、ＭＢＭＳ単一周波数ネットワーク（ＭＢＳＦＮ）として知られており、ＭＢＳＦＮは、同じ信号が、いくつかの無線セルにおいて、無線アクセスネットワークノードから同じ周波数で同期的に送信されることを意味し、これは、複数の送信が、無線デバイス向けの結合された信号電力に追加されるので、信号干渉雑音比（ＳＩＮＲ）の改善をもたらす。
【００１０】
２つ目の送信モードは、単一セルポイントツーマルチポイント（ＳＣ−ＰＴＭ）として知られている。ＳＣ−ＰＴＭは、３ＧＰＰ  Ｅ−ＵＴＲＡＮ  Ｒｅｌ−１３で導入された。この送信モードでは、１つの無線アクセスネットワークノードだけが、データを送信する。この送信モードは、ＭＢＳＦＮにおけるのと同様には、隣接する無線アクセスネットワークノードの貢献に起因するＳＩＮＲの改良の利益を提供しない。
【００１１】
しかし、ＳＣ−ＰＴＭは、無線デバイスが配置されたセルでだけ使用されることになるので、より細かい地理的粒度で使用することができる。
【００１２】
ＭＢＭＳベアラを使用するとき、クライアントは、メディア送信時のＰＴＴコール中とメディアが送信されないときの両方で、ＭＢＭＳベアラの品質を評価する必要がある。ＭＢＭＳベアラの品質を測定するための既知の機構は、ＭＢＳＦＮ参照信号受信品質（ＲＳＲＱ）の測定に限定され、ＭＢＳＦＮ  ＲＳＲＱは、３ＧＰＰ  ＴＳ３６．２１４  Ｖ１３．１．０に規定されている。メディアがＭＢＭＳベアラ上でブロードキャストされるとき、受信品質は、トランスポートブロック誤り率（ＢＬＥＲ）を分析することによって評価することができる。
【００１３】
ＰＴＴシステムでのトラフィックパターンは、短い間隔での、メディアの少数の短い送信バーストを一般に含む。これらの送信バーストは、一般に、直後に長い期間の無音が続く（すなわち、そこではメディアは送信されない）。ＰＴＴメディア送信の割合は予測不可能なので、ＭＢＭＳベアラ受信品質を評価することは難しい。メディアがブロードキャストされないとき、予想品質を評価することは難しい。
【００１４】
ＣＡ２９４７９５３Ａ１は、ＭＢＳＦＮベアラ品質測定に関し、ほぼ一定のストリーミングフローと断続的なトラフィックとの間で異なるＭＢＭＳサービスにおける問題を議論する。報告される測定結果は、起こり得る測定報告のギャップをネットワークが埋められるように、非ＭＢＭＳサブフレーム／セル測定を含むことができる。
【００１５】
しかし、ＭＢＭＳベアラの品質を評価するための改良された機構が依然として必要である。
【発明の概要】
【００１６】
本明細書の実施形態の目的は、ＭＢＭＳベアラの効率的な品質評価を提供することである。
【００１７】
第１の態様によれば、ＭＢＭＳベアラの品質評価のための方法が提示される。方法は、無線デバイスによって実行される。方法は、ＭＢＭＳベアラに対する品質評価基準（ｑｕａｌｉｔｙ  ｍｅａｓｕｒｅ）を得るために、ＭＢＭＳベアラから分離された参照信号の信号品質の測定結果を決定することであって、参照信号が、少なくとも１つの無線アクセスネットワークノードから受信される、決定することを含む。方法は、測定結果から、またＭＢＭＳベアラのマルチキャストチャネル（ＭＣＨ）に対して使用される変調符号化方式（ＭＣＳ）から、ＭＢＭＳベアラの予想ＢＬＥＲを推定することを含む。
【００１８】
有利なことに、これは、ＭＢＭＳベアラの効率的な品質評価を提供する。
【００１９】
有利なことに、これは、データがＭＢＭＳベアラで送られないときですら、ＭＢＭＳベアラでの予想ＢＬＥＲの効率的な評価を提供する。さらに、予想ＢＬＥＲは、報告および／またはモビリティ決定の目的で、別の送信オプションと比較することができる。
【００２０】
第２の態様によれば、ＭＢＭＳベアラの品質評価のための無線デバイスが提供される。無線デバイスは、処理回路を備える。処理回路は、無線デバイスに、ＭＢＭＳベアラに対する品質評価基準を得るために、ＭＢＭＳベアラから分離された参照信号の信号品質の測定結果を決定させるように設定され、参照信号が、少なくとも１つの無線アクセスネットワークノードから受信される。処理回路は、無線デバイスに、測定結果から、またＭＢＭＳベアラのＭＣＨに対して使用されるＭＣＳから、ＭＢＭＳベアラの予想ＢＬＥＲを推定させるように設定される。
【００２１】
第３の態様によれば、ＭＢＭＳベアラの品質評価のための無線デバイスが提供される。無線デバイスは、処理回路およびコンピュータプログラム製品を備える。コンピュータプログラム製品は、処理回路によって実行されるとき、無線デバイスに、ステップ、すなわち動作を実行させる命令を格納する。ステップすなわち動作は、無線デバイスに、ＭＢＭＳベアラに対する品質評価基準を得るために、ＭＢＭＳベアラから分離された参照信号の信号品質の測定結果を決定させ、参照信号が、少なくとも１つの無線アクセスネットワークノードから受信される。ステップすなわち動作は、無線デバイスに、測定結果から、またＭＢＭＳベアラのＭＣＨに対して使用されるＭＣＳから、ＭＢＭＳベアラの予想ＢＬＥＲを推定させる。
【００２２】
第４の態様によれば、ＭＢＭＳベアラの品質評価のための無線デバイスが提供される。無線デバイスは、ＭＢＭＳベアラに対する品質評価基準を得るために、ＭＢＭＳベアラから分離された参照信号の信号品質の測定結果を決定するように設定された決定モジュールを備え、参照信号が、少なくとも１つの無線アクセスネットワークノードから受信される。無線デバイスは、測定結果から、またＭＢＭＳベアラのＭＣＨに対して使用されるＭＣＳから、ＭＢＭＳベアラの予想ＢＬＥＲを推定するように設定された推定モジュールを備える。
【００２３】
第５の態様によれば、ＭＢＭＳベアラの品質評価のためのコンピュータプログラムが提供され、コンピュータプログラムは、無線デバイス上で動作するとき、無線デバイスに、第１の態様による方法を実行させるコンピュータプログラムコードを備える。
【００２４】
第６の態様によれば、第５の態様によるコンピュータプログラムおよびコンピュータプログラムが格納されるコンピュータ可読記憶媒体を備える、コンピュータプログラム製品が提供される。
【００２５】
第１、第２、第３、第４、第５、および第６の態様の任意の特徴は、適切な場合はいつも、任意の他の態様に適用され得ることに留意されたい。
【００２６】
同様に、第１の態様の任意の利点は、第２、第３、第４、第５、および／または第６の態様に、それぞれ同様に適用されることがあり、また逆も同様である。付属の実施形態の他の目的、特徴、および利点は、以下の詳細な開示から、添付の従属請求項から、ならびに図面から明らかとなる。
【００２７】
一般に、特許請求の範囲で使用されるすべての用語は、本明細書で明示的に別段の規定がない限り、技術分野における用語の通常の意味によって解釈されるべきである。「要素、装置、コンポーネント、手段、ステップなど」へのすべての言及は、明示的に別段の記載がない限り、要素、装置、コンポーネント、手段、ステップなどの少なくとも１つの例への言及として非限定的に解釈されるべきである。本明細書で開示される任意の方法のステップは、明示的に記載がない限り、開示されたとおりの順序で実行される必要はない。
次に、本発明の概念を、例を使用して、以下の添付の図面を参照しながら説明する。
【図面の簡単な説明】
【００２８】
【図１】実施形態による通信ネットワークを示す概略図である。
【図２】実施形態による方法の流れ図である。
【図３】実施形態による方法の流れ図である。
【図４】実施形態による信号図である。
【図５】一実施形態による無線デバイスの機能ユニットを示す概略図である。
【図６】一実施形態による一無線デバイス名の機能モジュールを示す概略図である。
【図７】一実施形態による、コンピュータ可読記憶媒体を備えるコンピュータプログラム製品の一例を示す図である。
【発明を実施するための形態】
【００２９】
次に、本発明の概念について、本発明の概念のいくつかの実施形態を示す添付の図面を参照して、以下でより詳細に説明する。ただし、この発明の概念は、多くの異なる形態で実施でき、本明細書に記載の実施形態だけに限定されるものと解釈されるべきではない。むしろ、これらの実施形態は、本開示が詳細かつ完全なものとなり、本発明の概念の範囲を当業者に十分に伝えるものとなるように例を使用して提供される。同様の番号は、本説明を通じて同様の要素を指す。破線によって示されるいずれのステップまたは特徴も、任意選択としてみなされたい。
【００３０】
図１は、本明細書で提示される実施形態を適用できる通信システム１００を示す概略図である。通信システム１００は、グループ通信向けのサービスを提供すると考えられ、したがってグループ通信システムとみなすことができる。グループ通信システム１００は、一部の態様によれば、プッシュツートーク（ＰＴＴ）システムである。
【００３１】
通信システム１００は、無線アクセスネットワーク１２０、コアネットワーク１３０、およびサービスネットワーク１４０を備える。通信システム１００はさらに、少なくとも１つの制御ノード２００および少なくとも１つのクライアントノード１５０ａ、１５０ｂ、１５０ｃを備える。少なくとも１つの制御ノード２００は、無線アクセスネットワーク１２０における少なくとも１つの無線アクセスネットワーク（ＲＡＮ）ノード１１０ａ、１１０ｂにまたは別のエンティティもしくはデバイスに、コアネットワーク１３０のエンティティもしくはデバイスに、またはサービスネットワーク１４０のエンティティもしくはデバイスに提供する、あるいは設置することができる。少なくとも１つの制御ノード２００は、グループ通信アプリケーションサーバ（ＧＣＳ  ＡＳ）の機能性を実装し得る。各クライアントノード１５０ａ、１５０ｂ、１５０ｃは、それぞれの無線デバイス３００ａ、３００ｂ、３００ｃに提供する、または設置することができる。
【００３２】
無線アクセスネットワーク１２０は、サービスネットワーク１４０に動作可能に接続されているコアネットワーク１３０に動作可能に接続されている。少なくとも１つの無線アクセスネットワークノード１１０ａ、１１０ｂは、それによって無線デバイス３００ａ、３００ｂ、３００ｃ、ひいてはクライアントノード１５０ａ、１５０ｂ、１５０ｃが、サービスにアクセスし、サービスネットワーク１４０によって提供されるデータを交換することを可能にする。
【００３３】
無線デバイス３００ａ、３００ｂ、３００ｃの例には、移動局、移動電話、ハンドセット、無線ローカルループ電話、ユーザ機器（ＵＥ）、スマートフォン、ラップトップコンピュータ、およびタブレットコンピュータが含まれるが、これらに限定されるものではない。無線アクセスネットワークノード１１０ａ、１１０ｂの例には、無線基地局、無線基地局装置、ノードＢ、エボルブドノードＢ、およびアクセスポイントが含まれるが、これらに限定されるものではない。当業者なら理解するように、通信システム１００は、それぞれが複数の無線デバイス３００ａ、３００ｂ、３００ｃにネットワークアクセスを提供する、複数の無線アクセスネットワークノード１１０ａ、１１０ｂを含んでもよい。本明細書で開示される実施形態は、任意の特定の数の無線アクセスネットワークノード１１０ａ、１１０ｂ、クライアントノード１５０ａ、１５０ｂ、１５０ｃ、または無線デバイス３００ａ、３００ｂ、３００ｃに限定されるものではない。
【００３４】
前述したように、ＭＢＭＳベアラの品質を評価するための改良された機構が依然として必要である。
【００３５】
本明細書で開示される実施形態は、ＭＢＭＳベアラの品質評価のための機構に関する。そうした機構を得るために、無線デバイス３００ａ、３００ｂ、３００ｃ、無線デバイス３００ａ、３００ｂ、３００ｃによって実行される方法、無線デバイス３００ａ、３００ｂ、３００ｃ上で動作するとき、無線デバイス３００ａ、３００ｂ、３００ｃに方法を実行させるコードを例えばコンピュータプログラムの形で備えるコンピュータプログラム製品が提供される。
【００３６】
図２および図３は、ＭＢＭＳベアラの品質評価のための方法の実施形態を示す流れ図である。方法は、無線デバイス３００ａ、３００ｂ、３００ｃによって実行される。方法は、有利には、コンピュータプログラム４２０として提供される。
【００３７】
次に、一実施形態による、無線デバイス３００ａ、３００ｂ、３００ｃによって実行される、ＭＢＭＳベアラの品質評価のための方法を示す図２を参照する。また、図４の信号図を並行して参照する。
【００３８】
本明細書で開示される実施形態は、データがＭＢＭＳベアラで送られるかのように予想ＢＬＥＲを評価するために、ＭＢＭＳベアラに対する品質評価基準およびＭＢＭＳベアラに対して使用される変調符号化方式（ＭＣＳ）を使用することに基づく。
【００３９】
Ｓ１０６：無線デバイス３００ａ、３００ｂ、３００ｃは、ＭＢＭＳベアラに対する品質評価基準を得るために、ＭＢＭＳベアラから分離された参照信号の信号品質の測定結果を決定する。参照信号は、少なくとも１つの無線アクセスネットワークノード１１０ａ、１１０ｂから受信される。品質評価基準の例が、以下に提供される。
【００４０】
Ｓ１１０：無線デバイス３００ａ、３００ｂ、３００ｃは、測定結果から、またＭＢＭＳベアラのマルチキャストチャネル（ＭＣＨ）に対して使用されるＭＣＳから、ＭＢＭＳベアラの予想ブロック誤り率（ＢＬＥＲ）を推定する。
【００４１】
所与の送信のＢＬＥＲは、本明細書で、当該所与の送信において、誤った受信ブロックの数を受信ブロックの総数で割ったものとして規定される。
【００４２】
ＢＬＥＲは、データがＭＢＭＳベアラで送られるかのように推定することができる。高い品質評価基準を測定し、ＭＢＭＳベアラを強固なＭＣＳでリッスンする無線デバイス３００ａ、３００ｂ、３００ｃは、データがＭＢＭＳベアラで送られるときの低いＢＬＥＲを予想できる。ＭＣＳは、１つのＭＢＳＦＮにおける１つのＭＢＭＳベアラに対して静的であり、これは、一定のＭＣＳに基づいて、無線デバイス３００ａ、３００ｂ、３００ｃは、ＢＬＥＲが高くなりすぎる前に、一定の最低水準の品質評価基準を許容できるとともに、無線デバイス３００ａ、３００ｂ、３００ｃは、適切な措置を取らなければならないことを意味する。そうした適切な措置の例が、以下に提供される。
【００４３】
次に、無線デバイス３００ａ、３００ｂ、３００ｃによって実行されるＭＢＭＳベアラの品質評価のより詳細に関する実施形態を開示する。
【００４４】
品質評価基準の様々な例があり得る。一実施形態によれば、品質評価基準は、ＭＢＭＳベアラに対するＲＳＲＱである。ＲＳＲＱは、参照信号受信電力（ＲＳＲＰ）と参照信号強度インジケータ（ＲＳＳＩ）の比率として規定される。ＲＳＳＩは、熱雑音および無線デバイス３００ａ、３００ｂ、３００ｃの受信機において発生する雑音を含む、受信広帯域電力を含む。一実施形態によれば、品質評価基準は、ＭＢＭＳベアラに対する信号対干渉雑音比（ＳＩＮＲ）である。一実施形態によれば、品質評価基準は、ＲＳＲＱとＳＩＮＲの組合せである。
【００４５】
参照が送信されるときにデータがＭＢＭＳベアラでブロードキャストされるか否かにかかわらず、参照信号は、ＭＢＭＳベアラで送信することができる。したがって、一実施形態によれば、参照信号は、データのないＭＢＭＳベアラで送信される。
【００４６】
次に、別の実施形態による、無線デバイス３００ａ、３００ｂ、３００ｃによって実行される、ＭＢＭＳベアラの品質評価のための方法を示す図３を参照する。ステップＳ１０６およびＳ１１０は、上述のとおり実行されると考えられるため、したがってその説明の繰り返しは省略する。図４の信号図を引き続き並行して参照する。
【００４７】
ステップＳ１０６での測定結果の決定に先行する、様々なステップ、すなわち動作があり得る。一部の態様によれば、ＭＢＭＳベアラが有効化される。したがって、一実施形態によれば、無線デバイス３００ａ、３００ｂ、３００ｃは、ステップＳ１０６を実行する前にステップＳ１０２を実行するように設定される。
【００４８】
Ｓ１０２：無線デバイス３００ａ、３００ｂ、３００ｃは、少なくとも１つの無線アクセスネットワークノード１１０ａから、システム情報を受信する。システム情報は、ＭＢＭＳベアラが有効であることを示す。
【００４９】
一部の態様によれば、各無線アクセスネットワークノード１１０ａ、１１０ｂは、ＭＢＭＳベアラに関するシステム情報および制御情報をブロードキャストする。したがって、一実施形態によれば、無線デバイス３００ａ、３００ｂ、３００ｃは、ステップＳ１０４を、ステップＳ１０２の後、かつステップＳ１０６を実行する前に実行するように設定される。
【００５０】
Ｓ１０４：無線デバイス３００ａ、３００ｂ、３００ｃは、少なくとも１つの無線アクセスネットワークノード１１０ａ、１１０ｂから、ＭＢＭＳベアラに関する制御情報を受信する。制御情報は、ＭＣＳを含む。
【００５１】
先に開示したように、ステップＳ１０６では、無線デバイス３００ａ、３００ｂ、３００ｃは、ＭＢＭＳベアラに対する品質評価基準を得るために、少なくとも１つの無線アクセスネットワークノード１１０ａ、１１０ｂから受信される参照信号の信号品質の測定結果を決定する。この点に関して、無線デバイス３００ａ、３００ｂ、３００ｃは、ＭＢＳＦＮ参照信号を測定してＭＢＳＦＮ  ＲＳＲＱを決定することができる。したがって、一実施形態によれば、参照信号は、ＭＢＳＦＮ参照信号であり、またＭＢＳＦＮ参照信号は、無線デバイス３００ａ、３００ｂ、３００ｃによって、ＭＢＭＳベアラのＢＬＥＲがそこから推定されるＭＢＳＦＮ  ＲＳＲＱを決定するために使用される。ＭＢＳＦＮ参照信号は、無線デバイス３００ａ、３００ｂ、３００ｃによって、ＭＢＳＦＮ参照信号受信電力（ＲＳＲＰ）およびＭＢＳＦＮ  ＲＳＲＱを決定するために使用することができる。ＭＢＳＦＮ  ＲＳＲＱは、３ＧＰＰ  ＴＳ３６．２１４  Ｖ１３．１．０に規定されている。ＭＢＳＦＮ参照信号は、いくつかのセルから（例えば、いくつかの無線アクセスネットワークノード１１０ａ、１１０ｂから）同期がとられることがあるので、ＭＢＳＦＮ参照信号は、常に、少なくともセル固有参照信号（ＣＳＲＳ）と同様に強力であり、また通常、ＭＢＳＦＮ参照信号の複数のソースを組み合わせるとより強力である。セル固有参照信号は、３ＧＰＰ  ＴＳ３６．２１１  Ｖ１３．１．０に規定されている。１つのＭＢＳＦＮにおける１つのＭＢＭＳベアラの場合、ＭＣＳは静的であるため、したがって無線デバイス３００ａ、３００ｂ、３００ｃは、ＭＢＳＦＮ  ＲＳＲＱを決定するためにＭＢＳＦＮ参照信号を測定し、ひいてはＭＢＭＳベアラに対する品質評価基準を得ることができる。
【００５２】
ＭＢＭＳベアラがＳＣ−ＰＴＭ送信モードを使用する場合、無線デバイス３００ａ、３００ｂ、３００ｃは、ＭＢＭＳベアラに対する同等のＲＳＲＱを決定するために、ＣＳＲＳを使用してもよい。しかし、この参照信号がユニキャスト送信に対して使用されるものと同じ場合でも、ＳＣ−ＰＴＭ送信モードには、例えば、リンク適応およびハイブリッド自動再送要求（ＨＡＲＱ）による再送信がないので、同じチャネル品質を示すわけではない。したがって、一実施形態によれば、参照信号は、ＣＳＲＳであり、またＣＳＲＳは、無線デバイス３００ａ、３００ｂ、３００ｃによって、ＭＢＭＳベアラに対する品質評価基準を決定するために使用される。ＣＳＲＳは、無線デバイス３００ａ、３００ｂ、３００ｃによって使用することでＲＳＲＰを決定でき、そしてＲＳＳＩと組み合わせるとＲＳＲＱを決定できる。
【００５３】
一部の態様によれば、予想ＢＬＥＲは、無線デバイス３００ａ、３００ｂ、３００ｃが移動する速度からも推定される。したがって、一実施形態によれば、無線デバイス３００ａ、３００ｂ、３００ｃは、ステップＳ１０８を実行するように設定される。
【００５４】
Ｓ１０８：無線デバイス３００ａ、３００ｂ、３００ｃは、無線デバイス３００ａ、３００ｂ、３００ｃが移動する速度を推定する。予想ＢＬＥＲは、次いでステップＳ１１０で、無線デバイス３００ａ、３００ｂ、３００ｃの移動から生じる速度および／またはドップラー効果からも推定される。
【００５５】
無線デバイス３００ａ、３００ｂ、３００ｃの移動は、ドップラー効果を生じさせる。当業者なら理解するように、ドップラー効果は、品質評価基準が推定される基礎であるベアラの搬送周波数、無線デバイス３００ａ、３００ｂ、３００ｃが移動する速度、および信号ソース（すなわち、少なくとも１つの無線アクセスネットワークノード１１０ａ、１１０ｂ）に対する無線デバイス３００ａ、３００ｂ、３００ｃの移動方向を使用して決定することができる。最悪のケースのシナリオが発生するのは、無線デバイス３００ａ、３００ｂ、３００ｃが最も強力な１つまたは複数の信号ソースに対して半径方向に移動するときである。信号ソースに対する方向が計算できない場合、無線デバイス３００ａ、３００ｂ、３００ｃは、保守的になり、一実施形態において、前記半径方向を想定する可能性がある。速度は、例えば、全地球測位システムからの測定結果を使用して、決定することができる。一般論として、相対的な高いドップラー効果は、相対的な低いドップラー効果と比較して、同じＭＣＳレベルで同じＢＬＥＲ目標に達するために、より高い品質評価基準を必要とする。
【００５６】
予想ＢＬＥＲは、例えば報告および／またはモビリティ決定の目的で、ＭＢＭＳベアラで送信されるデータに対する別の送信オプションと比較することができる。したがって、一実施形態によれば、無線デバイス３００ａ、３００ｂ、３００ｃは、ステップＳ１１２を実行するように設定される。
【００５７】
Ｓ１１２：無線デバイス３００ａ、３００ｂ、３００ｃは、予想ＢＬＥＲを、少なくとも１つの追加ベアラの品質測定結果と比較する。
【００５８】
したがって、無線デバイス３００ａ、３００ｂ、３００ｃは、そうした比較を実行するために、少なくとも１つの潜在または既存の追加ベアラの品質測定結果を得ると考えることができる。そうした１つまたは複数の追加ベアラの様々な例がある。例えば、１つまたは複数の追加ベアラは、選択されたターゲットセル／領域または隣接のターゲットセル／領域において、予想ＢＬＥＲが推定される対象のＭＢＭＳベアラによって現在提供されているサービスに対して有効であり得る。一実施形態によれば、少なくとも１つの追加ベアラのそれぞれは、ユニキャストベアラ、別のＭＢＭＳベアラ、または中継伝送向けベアラである。このいわゆる別のＭＢＭＳベアラは、ＳＣ−ＰＴＭまたはＭＢＳＦＮ送信モードを使用しているものであり得る。中継伝送向けベアラの一例は、ＵＥ−ｔｏ−Ｎｅｔｗｏｒｋ中継伝送向けベアラである。この点に関して、一部の態様によれば、様々なベアラタイプの比較は、ステップＳ１１２で実行され得るように、ペイロードレベルで実行することができる。ペイロードの品質は、ＭＢＭＳベアラで、アプリケーションレベルの前方誤り訂正（ＦＥＣ）の助けを借りて改善することができる。ペイロードの品質は、ユニキャストベアラで、ＨＡＲＱの助けを借りて改善することができる。一実施形態では、ＢＬＥＲをペイロードレベル損失率にマッピングするために使用される既知のターゲットＨＡＲＱレベルがある。例として、ペイロードの１つのタイプは、メディアフレームである。メディアフレームが一定のビットレートを使用して送信され、またメディアフレームのフレームサイズが既知である場合、ＢＬＥＲとペイロードの品質との間のマッピングが可能である。また、ＵＥ−ｔｏ−Ｎｅｔｗｏｒｋ中継伝送の場合、損失ブロック訂正の可能性を考慮することができる。
【００５９】
一部の態様によれば、無線デバイス３００ａ、３００ｂ、３００ｃは、ＭＢＭＳベアラ測定の結果、ターゲット測定の結果（すなわち、少なくとも１つの追加ベアラの品質測定の結果）、および／または比較の結果を制御ノード２００に報告する。したがって、一実施形態によれば、無線デバイス３００ａ、３００ｂ、３００ｃは、ステップＳ１１４を実行するように設定される。
【００６０】
Ｓ１１４：無線デバイス３００ａ、３００ｂ、３００ｃは、予想ＢＬＥＲおよび品質測定結果を含む報告を、ＭＢＭＳベアラの制御ノード２００に送る。
【００６１】
ＭＢＭＳベアラは低品質であるが、発見されたターゲットオプションのいずれもさらに低品質である場合、このことは報告で示すことができる。したがって、一実施形態によれば、報告は、予想ＢＬＥＲが第１の閾値を上回ることを示す。さらに、一実施形態によれば、報告は、少なくとも１つの追加ベアラの予想ＢＬＥＲを示す。
【００６２】
予想ＢＬＥＲが規定済みの閾値を下回る場合、ステップＳ１１２およびＳ１１４は、省略してよい。したがって、一実施形態によれば、ステップＳ１１２での比較することおよびステップＳ１１４での送ることは、ＭＢＭＳベアラの予想ＢＬＥＲが第２の閾値を上回るときにだけ実行される。
【００６３】
無線デバイス３００ａ、３００ｂ、３００ｃは、品質評価基準の値、ＭＣＳ、およびＢＬＥＲ間の関係を含むデータ構造を格納することができる。関係、したがってまたデータ構造は、さらに、無線デバイス３００ａ、３００ｂ、３００ｃの速度または結果として生じるドップラー効果の値を含むことができる。したがって、テーブルルックアップによって、すなわち、ＭＢＭＳベアラに対する品質評価基準および現在使用されているＭＣＳ（そして任意選択で無線デバイス３００ａ、３００ｂ、３００ｃの推定速度）を入力として使用し、予想ＢＬＥＲを出力として生成することによって、予想ＢＬＥＲを推定することができる。
【００６４】
図５は、いくつかの機能ユニットの点から、一実施形態による、無線デバイス３００ａ、３００ｂ、３００ｃのコンポーネントを概略的に示す。処理回路３１０は、（図７に見られるような）コンピュータプログラム製品４１０に、例えば、記憶媒体３３０の形で格納されたソフトウェア命令を実行できる、適当な中央処理装置（ＣＰＵ）、マルチプロセッサ、マイクロコントローラ、デジタル信号プロセッサ（ＤＳＰ）などのうちの１つまたは複数の任意の組合せを使用して提供される。処理回路３１０はさらに、少なくとも１つの特定用途向け集積回路（ＡＳＩＣ）またはフィールドプログラマブルゲートアレイ（ＦＰＧＡ）として提供されてもよい。
【００６５】
特に、処理回路３１０は、先に開示したように、無線デバイス３００ａ、３００ｂ、３００ｃに、動作、すなわちステップのセット、Ｓ１０２〜Ｓ１１４を実行させるように設定される。例えば、記憶媒体３３０は、動作のセットを格納してもよく、処理回路３１０は、記憶媒体３３０から動作のセットを検索して、無線デバイス３００ａ、３００ｂ、３００ｃに、動作のセットを実行させるように設定してもよい。動作のセットは、実行可能命令のセットとして提供されてもよい。
【００６６】
こうして処理回路３１０は、それによって、本明細書で開示される方法を実行するように設定される。記憶媒体３３０はまた、例えば、磁気メモリ、光メモリ、ソリッドステートメモリ、もしくはさらにはリモートでマウントされたメモリの任意のただ１つまたは組合せとすることができる永続記憶装置を備えてもよい。無線デバイス３００ａ、３００ｂ、３００ｃはさらに、少なくとも無線アクセスネットワークノード１１０ａ、１１０ｂおよび制御ノード２００との通信のために少なくとも設定される通信インターフェース３２０を備えてもよい。したがって、そうした通信インターフェース３２０は、アナログおよびデジタルコンポーネントを備える、１つまたは複数の送信機および受信機を備えることができる。処理回路３１０は、無線デバイス３００ａ、３００ｂ、３００ｃの一般的な動作を、例えば、データおよび制御信号を通信インターフェース３２０および記憶媒体３３０に送ることにより、データおよび報告を通信インターフェース３２０から受信することにより、またデータおよび命令を記憶媒体３３０から検索することにより、制御する。本明細書で提示される概念を不明瞭にしないよう、無線デバイス３００ａ、３００ｂ、３００ｃの他のコンポーネントならびに関連する機能性は省略している。
【００６７】
図６は、いくつかの機能モジュールの点から、一実施形態による、無線デバイス３００ａ、３００ｂ、３００ｃのコンポーネントを概略的に示す。図６の無線デバイス３００ａ、３００ｂ、３００ｃは、いくつかの機能モジュール、すなわち、ステップＳ１０６を実行するように設定された決定モジュール３１０ｃおよびステップＳ１１０を実行するように設定された推定モジュール３１０ｅを備える。図６の無線デバイス３００ａ、３００ｂ、３００ｃはさらに、ステップＳ１０２を実行するように設定された受信モジュール３１０ａ、ステップＳ１０４を実行するように設定された受信モジュール３１０ｂ、ステップＳ１０８を実行するように設定された推定モジュール３１０ｄ、ステップＳ１１２を実行するように設定された比較モジュール３１０ｆ、およびステップＳ１１４を実行するように設定された発信モジュール３１０ｇのいずれかなどのいくつかの任意選択の機能モジュールを備えてもよい。
【００６８】
一般論として、各機能モジュール３１０ａ〜３１０ｇは、一実施形態においてハードウェアにだけ実装できるか、別の実施形態においてソフトウェアの助けを借りて実装でき、すなわち、後者の実施形態は、処理回路上で動作するとき、無線デバイス３００ａ、３００ｂ、３００ｃに、図６と共に前述された対応するステップを実行させる、記憶媒体３３０に格納されたコンピュータプログラム命令を有する。モジュールが１つのコンピュータプログラムの部分に対応するとしても、モジュールはコンピュータプログラム内で別個のモジュールである必要はないが、モジュールがソフトウェアに実装される方法は使用されるプログラミング言語に依存することもまた言及されるべきである。好ましくは、１つまたは複数のまたはすべての機能モジュール３１０ａ〜３１０ｇは、処理回路３１０によって、また場合によっては、機能ユニットの３２０および／または３３０と協力して、実装することができる。処理回路３１０は、したがって、機能モジュール３１０ａ〜３１０ｇによって提供される命令を記憶媒体３３０から取り込むよう、またこれらの命令を実行するよう設定することができ、それによって、本明細書で開示される任意のステップを実行する。
【００６９】
図７は、コンピュータ可読記憶媒体４３０を備えるコンピュータプログラム製品４１０の一例を示す。このコンピュータ可読記憶媒体４３０に、コンピュータプログラム４２０を格納でき、コンピュータプログラム４２０は、処理回路３１０、ならびにそこに動作可能に結合された、通信インターフェース３２０や記憶媒体３３０などのエンティティおよびデバイスに、本明細書で説明する実施形態による方法を実行させることができる。コンピュータプログラム４２０および／またはコンピュータプログラム製品４１０は、したがって、本明細書で開示される任意のステップを実行するための手段を提供することができる。
【００７０】
図７の例では、コンピュータプログラム製品４１０は、ＣＤ（コンパクトディスク）またはＤＶＤ（デジタル多用途ディスク）またはＢｌｕ−Ｒａｙディスクなどの光ディスクとして示される。コンピュータプログラム製品４１０はまた、ランダムアクセスメモリ（ＲＡＭ）、読出し専用メモリ（ＲＯＭ）、消去可能プログラマブル読出し専用メモリ（ＥＰＲＯＭ）、または電気的消去可能プログラマブル読出し専用メモリ（ＥＥＰＲＯＭ）などのメモリとして、より詳細には、ＵＳＢ（ユニバーサルシリアルバス）メモリなどの外部メモリまたはコンパクトフラッシュメモリなどのフラッシュメモリにおけるデバイスの不揮発性記憶媒体として組み込まれる。したがって、コンピュータプログラム４２０は、ここでは、概略的に、示された光ディスク上のトラックとして示されるが、コンピュータプログラム４２０は、コンピュータプログラム製品４１０に適した任意の方法で格納することができる。
【００７１】
本発明の概念は、主に、少数の実施形態を参照しながら上述された。しかし、当業者によって容易に理解されるように、上に開示された実施形態以外の他の実施形態は、添付の特許請求の範囲によって規定される本発明の概念の範囲内で同様に可能である。
【手続補正２】
【補正対象書類名】特許請求の範囲
【補正対象項目名】全文
【補正方法】変更
【補正の内容】
【特許請求の範囲】
【請求項１】
無線デバイス（３００ａ、３００ｂ、３００ｃ）によって実行される、マルチメディアブロードキャストマルチキャストサービス（ＭＢＭＳ）ベアラの品質評価のための方法であって、
前記ＭＢＭＳベアラに対する品質評価基準を得るために、前記ＭＢＭＳベアラから分離された参照信号の信号品質の測定結果を決定すること（Ｓ１０６）であって、前記参照信号が、少なくとも１つの無線アクセスネットワークノード（１１０ａ、１１０ｂ）から受信される、決定することと、
前記測定結果から、また前記ＭＢＭＳベアラのマルチキャストチャネル（ＭＣＨ）に対して使用される変調符号化方式（ＭＣＳ）から、前記ＭＢＭＳベアラの予想ブロック誤り率（ＢＬＥＲ）を推定すること（Ｓ１１０）と
を含む方法。
【請求項２】
前記品質評価基準が、前記ＭＢＭＳベアラに対する参照信号受信品質（ＲＳＲＱ）または信号対干渉雑音比（ＳＩＮＲ）のうちの少なくとも１つである、請求項１に記載の方法。
【請求項３】
前記ＢＬＥＲが、データが前記ＭＢＭＳベアラで送られるかのように推定される、請求項１に記載の方法。
【請求項４】
前記参照信号が、データのないＭＢＭＳベアラで送信される、請求項１に記載の方法。
【請求項５】
前記参照信号が、ＭＢＭＳ単一周波数ネットワーク（ＭＢＳＦＮ）参照信号であり、また前記ＭＢＳＦＮ参照信号が、前記無線デバイスによって、前記ＭＢＭＳベアラの前記ＢＬＥＲがそこから推定されるＭＢＳＦＮ  ＲＳＲＱを決定するために使用される、請求項１に記載の方法。
【請求項６】
前記参照信号が、セル固有参照信号（ＣＳＲＳ）であり、また前記ＣＳＲＳが、前記無線デバイスによって、前記ＭＢＭＳベアラに対する前記品質評価基準を決定するために使用される、請求項１に記載の方法。
【請求項７】
前記無線デバイスが移動する速度を推定すること（Ｓ１０８）であって、前記予想ＢＬＥＲが、前記無線デバイスの移動から生じる前記速度またはドップラー効果からも推定される、推定することをさらに含む、請求項１に記載の方法。
【請求項８】
前記予想ＢＬＥＲを、少なくとも１つの潜在または既存の追加ベアラの品質測定結果と比較すること（Ｓ１１２）をさらに含む、請求項１に記載の方法。
【請求項９】
前記少なくとも１つの追加ベアラのそれぞれが、ユニキャストベアラ、別のＭＢＭＳベアラ、または中継伝送向けベアラである、請求項８に記載の方法。
【請求項１０】
前記別のＭＢＭＳベアラが、ＭＢＭＳ単一周波数ネットワーク（ＭＢＳＦＮ）送信モードまたは単一セルポイントツーマルチポイント（ＳＣ−ＰＴＭ）送信モードを使用する、請求項９に記載の方法。
【請求項１１】
前記予想ＢＬＥＲおよび前記品質測定結果を含む報告を、前記ＭＢＭＳベアラの制御ノード（２００）に送ること（Ｓ１１４）をさらに含む、請求項８から１０のいずれか一項に記載の方法。
【請求項１２】
前記報告が、前記予想ＢＬＥＲが第１の閾値を上回ることを示す、請求項１１に記載の方法。
【請求項１３】
前記報告が、前記少なくとも１つの追加ベアラの予想ＢＬＥＲを示す、請求項１１または１２に記載の方法。
【請求項１４】
前記送ることが、前記ＭＢＭＳベアラの前記予想ＢＬＥＲが第２の閾値を上回るときにだけ実行される、請求項１１から１３のいずれか一項に記載の方法。
【請求項１５】
前記少なくとも１つの無線アクセスネットワークノードから、制御ノード（２００）による前記ＭＢＭＳベアラの有効化を示すシステム情報を受信すること（Ｓ１０２）をさらに含む、請求項１に記載の方法。
【請求項１６】
前記少なくとも１つの無線アクセスネットワークノードから、前記ＭＢＭＳベアラに関する制御情報を受信すること（Ｓ１０４）であって、前記制御情報が前記ＭＣＳを含む、受信することをさらに含む、請求項１５に記載の方法。
【請求項１７】
マルチメディアブロードキャストマルチキャストサービス（ＭＢＭＳ）ベアラの品質評価のための無線デバイス（３００ａ、３００ｂ、３００ｃ）であって、
前記ＭＢＭＳベアラに対する品質評価基準を得るために、前記ＭＢＭＳベアラから分離された参照信号の信号品質の測定結果を決定することであって、前記参照信号が、少なくとも１つの無線アクセスネットワークノード（１１０ａ、１１０ｂ）から受信される、決定するように設定された決定モジュール（３１０ｃ）と、
前記測定結果から、また前記ＭＢＭＳベアラのマルチキャストチャネル（ＭＣＨ）に対して使用される変調符号化方式（ＭＣＳ）から、前記ＭＢＭＳベアラの予想ブロック誤り率（ＢＬＥＲ）を推定するように設定された推定モジュール（３１０ｅ）と
を備える、無線デバイス（３００ａ、３００ｂ、３００ｃ）。
【請求項１８】
マルチメディアブロードキャストマルチキャストサービス（ＭＢＭＳ）ベアラの品質評価のためのコンピュータプログラム（４２０）であって、無線デバイス（３００ａ、３００ｂ、３００ｃ）の処理回路（３１０）上で動作するとき、前記無線デバイス（３００ａ、３００ｂ、３００ｃ）に、
前記ＭＢＭＳベアラに対する品質評価基準を得るために、前記ＭＢＭＳベアラから分離された参照信号の信号品質の測定結果を決定することであって（Ｓ１０６）、前記参照信号が、少なくとも１つの無線アクセスネットワークノード（１１０ａ、１１０ｂ）から受信される、決定することと、
前記測定結果から、また前記ＭＢＭＳベアラのマルチキャストチャネル（ＭＣＨ）に対して使用される変調符号化方式（ＭＣＳ）から、前記ＭＢＭＳベアラの予想ブロック誤り率（ＢＬＥＲ）を推定することと（Ｓ１１０）を行わせるコンピュータコードを備える、コンピュータプログラム（４２０）。
【請求項１９】
請求項１８に記載のコンピュータプログラム（４２０）と、前記コンピュータプログラムが格納されるコンピュータ可読記憶媒体（４３０）とを備える、コンピュータプログラム製品（４１０）。
【国際調査報告】
2019519976.tif 000010
2019519976.tif 000011
2019519976.tif 000012